(57)【要約】【課題】小型化を図ること、またはスルーホールの数を多くすることが可能なコイル部品を提供すること。【解決手段】コイル部品１０の積層基板３１には、複数のスルーホールＨが配列されていて、パターン配線３１５は、中心孔３１４の周囲を取り巻くループ状部分３１５ａと、そのループ状部分３１５ａから延伸する一対の端部配線部３１５ｂ１，３１５ｂ２を備えていて、複数のスルーホールＨのうち隣り合う２つのスルーホールＨは、その開口の少なくとも一部が一対の端部配線部３１５ｂ１，３１５ｂ２に差し掛かって端部配線部３１５ｂ１，３１５ｂ２と電気的に接続された状態で積層基板３１を貫通している。また、一対の端部配線部３１５ｂ１，３１５ｂ２のうち、一方の端部配線部３１ｂ１における一方のスルーホールＨの開口は、一方の端部配線部３１５ｂ１の交差方向における中心よりも、他方の端部配線部３１５ｂ２に近接した位置に設けられている。【選択図】図１
2019040938.tif 000002
【特許請求の範囲】
【請求項１】
コイルを形成するパターン配線を有する積層基板が複数積層されることにより形成されているコイル部品であって、
前記積層基板には、複数のスルーホールが配列されていて、
前記パターン配線は、前記積層基板を貫通する中心孔の周囲を取り巻くループ状部分と、該ループ状部分から前記スルーホールの配列方向と交差する交差方向に延伸すると共に互いに所定の絶縁距離だけ隔てて対向する一対の端部配線部を備えていて、
複数の前記スルーホールのうち隣り合う２つの前記スルーホールは、その開口の少なくとも一部が一対の前記端部配線部に差し掛かって該端部配線部と電気的に接続された状態で前記積層基板を貫通していて、
一対の前記端部配線部のうち、一方の前記端部配線部における一方の前記スルーホールの開口は、一方の前記端部配線部の前記交差方向における中心よりも、他方の前記端部配線部に近接した位置に設けられている、
ことを特徴とするコイル部品。
【請求項２】
請求項１記載のコイル部品であって、
一対の前記端部配線部のうち、他方の前記端部配線部における他方の前記スルーホールの開口は、他方の前記端部配線部の前記交差方向における中心よりも、一方の前記端部配線部に近接した位置に設けられている、
ことを特徴とするコイル部品。
【請求項３】
請求項１または２記載のコイル部品であって、
前記スルーホールは、その開口の全体が前記端部配線部に差し掛かっていて、該開口の周囲が前記端部配線部で囲まれている、
ことを特徴とするコイル部品。
【請求項４】
請求項１または２記載のコイル部品であって、
前記スルーホールは、その開口の一部が前記端部配線部に差し掛かっていて、該開口の周囲の一部が前記端部配線部で囲まれ、該開口の残りの部分が前記端部配線部から外れている、
ことを特徴とするコイル部品。
【請求項５】
請求項１から４のいずれか１項に記載のコイル部品であって、
前記パターン配線は、前記中心孔の円周方向において１周の少なくとも３／４以上設けられている、
ことを特徴とするコイル部品。
【請求項６】
請求項１から５のいずれか１項に記載のコイル部品であって、
前記積層基板には、前記パターン配線がトランスの１次側コイルを構成する１次側積層基板と、前記パターン配線がトランスの２次側コイルを構成する２次側積層基板とが設けられていて、
前記１次側積層基板と前記２次側積層基板とが交互に積層されている、
ことを特徴とするコイル部品。
【発明の詳細な説明】
【技術分野】
【０００１】
本発明は、コイル部品に関するものである。
【背景技術】
【０００２】
たとえばインダクタやトランス等のようなコイル部品の中には、特許文献１に示すように、プリント基板上に、銅箔などの金属箔によってコイルパターンを形成し、そのプリント基板を積層した構成を備えるものがある。特許文献１では、上下で隣り合う層のプリント基板に存在するコイルパターンの先端を、金属ピンで接続した構成について開示されている。
【０００３】
コイル部品を構成する各層のプリント基板には、たとえば特許文献１に示すように、中心に空芯（中心孔）を備えるものがある。また、コイル部品を構成するコアには、たとえばＥ型コアのように中脚を有するものがある。これらにより構成されるコイル部品には、プリント基板の空芯に対してコアの中脚を挿入し、一対のコアにて上下からプリント基板を挟み込む構造としたものが存在している。
【先行技術文献】
【特許文献】
【０００４】
【特許文献１】特開平３−１８３１０６号公報
【発明の概要】
【発明が解決しようとする課題】
【０００５】
ところで、上述したようなコイル部品においては、異なる層のコイルパターン同士を電気的に接続するためにスルーホールが設けられていて、そのスルーホールに、金属ピンが挿入されている。かかるスルーホールは、たとえば特許文献１に示すように、パターン配線の端部の幅方向のほぼ真ん中に形成することが一般的である。そして、これら複数のスルーホールは、所定の距離（ピッチ）を隔てた状態で配置されている。
【０００６】
しかしながら、近年、コイル部品に対しては、小型化の要求が高まっている。すなわち、同じサイズであれば、できるだけ多くの層のプリント基板を備えつつ、より多くの金属ピンが電気的に接続される構成とする要求があり、また金属ピンの本数が同じである場合には、プリント基板の幅をできるだけ小さくすることが要求されている。
【０００７】
本発明は上記事情に鑑みてなされたものであり、小型化を図ること、またはスルーホールの数を多くすることが可能なコイル部品を提供することを課題とする。
【課題を解決するための手段】
【０００８】
上記課題を解決するために、本発明のコイル部品の一側面は、コイルを形成するパターン配線を有する積層基板が複数積層されることにより形成されているコイル部品であって、積層基板には、複数のスルーホールが配列されていて、パターン配線は、積層基板を貫通する中心孔の周囲を取り巻くループ状部分と、該ループ状部分からスルーホールの配列方向と交差する交差方向に延伸すると共に互いに所定の絶縁距離だけ隔てて対向する一対の端部配線部を備えていて、複数のスルーホールのうち隣り合う２つのスルーホールは、その開口の少なくとも一部が一対の端部配線部に差し掛かって該端部配線部と電気的に接続された状態で積層基板を貫通していて、一対の端部配線部のうち、一方の端部配線部における一方のスルーホールの開口は、一方の端部配線部の交差方向における中心よりも、他方の端部配線部に近接した位置に設けられている、ことを特徴とするコイル部品が提供される。
【０００９】
また、本発明のコイル部品の他の側面は、上述の発明に加えて更に、一対の端部配線部のうち、他方の端部配線部における他方のスルーホールの開口は、他方の端部配線部の交差方向における中心よりも、一方の端部配線部に近接した位置に設けられている、ことが好ましい。
【００１０】
また、本発明のコイル部品の他の側面は、上述の発明に加えて更に、スルーホールは、その開口の全体が端部配線部に差し掛かっていて、該開口の周囲が端部配線部で囲まれている、ことが好ましい。
【００１１】
また、本発明のコイル部品の他の側面は、上述の発明に加えて更に、スルーホールは、その開口の一部が端部配線部に差し掛かっていて、該開口の周囲の一部が端部配線部で囲まれ、該開口の残りの部分が端部配線部から外れている、ことが好ましい。
【００１２】
また、本発明のコイル部品の他の側面は、上述の発明に加えて更に、パターン配線は、中心孔の円周方向において１周の少なくとも３／４以上設けられている、ことが好ましい。
【００１３】
また、本発明のコイル部品の他の側面は、上述の発明に加えて更に、積層基板には、パターン配線がトランスの１次側コイルを構成する１次側積層基板と、パターン配線がトランスの２次側コイルを構成する２次側積層基板とが設けられていて、１次側積層基板と２次側積層基板とが交互に積層されている、ことが好ましい。
【発明の効果】
【００１４】
本発明によると、小型化を図ること、またはスルーホールの数を多くすることが可能なコイル部品を提供することができる。
【図面の簡単な説明】
【００１５】
【図１】本発明の一実施の形態に係るコイル部品の構成を示す分解斜視図である。
【図２】本発明の一実施の形態に係るコイル部品を示す斜視図である。
【図３】図１に示すコイル部品の１層目の積層基板の構成を示す平面図である。
【図４】図３に示す平面図において、一対の端部配線部を拡大して示す部分的な平面図である。
【図５】図１に示すコイル部品の３層目の積層基板の構成を示す平面図である。
【図６】図５に示す平面図において、一対の端部配線部を拡大して示す部分的な平面図である。
【図７】図１に示すコイル部品の５層目の積層基板の構成を示す平面図である。
【図８】図１に示すコイル部品の７層目の積層基板の構成を示す平面図である。
【図９】図１に示すコイル部品の９層目の積層基板の構成を示す平面図である。
【図１０】図１に示すコイル部品の２層目の積層基板の構成を示す平面図である。
【図１１】図１に示すコイル部品の４層目の積層基板の構成を示す平面図である。
【図１２】図１に示すコイル部品の６層目の積層基板の構成を示す平面図である。
【図１３】図１に示すコイル部品の８層目の積層基板の構成を示す平面図である。
【図１４】本発明の変形例に係るコイル部品の一対の端部配線部を拡大して示す部分的な平面図である。
【発明を実施するための形態】
【００１６】
以下、本発明の各実施の形態に係るコイル部品１０について、図面を参照しながら説明する。なお、以下の説明においては、必要に応じてＸＹＺ直交座標系を用いて説明することとする。ＸＹＺ直交座標系においてＸ方向は、積層基板３１〜３９の基板平面においてスルーホール列３１２〜３９２，３１３〜３９３に平行な方向を指し、Ｘ１側は図１において右下側を指し、Ｘ２側はそれとは逆の左上側を指す。また、Ｙ方向は図１において積層基板３１〜３９のスルーホール列３１２〜３９２，３１３〜３９３と直交する方向を指し、Ｙ１側は図１において右上側を指し、Ｙ２側はそれとは逆の左下側を指す。また、Ｚ方向は積層基板および一対のコア２０Ａ，２０Ｂが重ねられる方向を指し、Ｚ１側は図１において紙面上側（コア２０Ａが位置する側）を指し、Ｚ２側は図１において紙面下側（コア２０Ｂが位置する側）を指す。
【００１７】
図１は、コイル部品１０の構成を示す分解斜視図である。図２は、コイル部品１０を示す斜視図である。図１に示すように、コイル部品１０は、一対のコア２０Ａ，コア２０Ｂと、複数の積層基板３１〜３９により構成される積層基板体３０と、接続ピンとを備えている。図１に示す構成では、積層基板３１〜３９は９枚存在しており、それらが位置合わせされた状態で積層されている。
【００１８】
一対のコア２０Ａ，２０Ｂは、たとえばＥＲコアであり、底部２１と、その底部２１の長手方向のそれぞれの端部から立設している一対の周壁２２と、底部２１の長手方向の中央から立設している柱脚部２３とを有している。コア２０Ａの周壁２２と、コア２０Ｂの周壁２２とが突き合わされ、さらにコア２０Ａの柱脚部２３とコア２０Ｂの柱脚部２３とが突き合わされることで、後述する積層基板３１〜３９に形成されているコイルパターンの中心と外周側とをループ状に取り囲む閉磁路が形成される。
【００１９】
一対の周壁２２は、後述する積層基板３１〜３９の位置決め凹部３１６〜３９６に嵌まり込む。また、柱脚部２３は、図１に示す構成では円柱状に設けられているが、角柱状等、その他の形状であっても良い。柱脚部２３が、角柱状等のように円柱状以外の場合には、後述する積層基板３１〜３９の中心孔３１４〜３９４も、その柱脚部２３を挿通可能な形状に形成される。
【００２０】
なお、周壁２２と柱脚部２３とが底部２１から突出している高さは、同程度に設けられている。柱脚部２３は後述する積層基板体３０（積層基板３１〜３９）の中心孔３１４〜３９４に入り込み、周壁２２と柱脚部２３との間の空間には積層基板体３０が位置する。
【００２１】
また、コア２０は、その材質を磁性材としているが、磁性材としては、例えば、ニッケル系のフェライトまたはマンガン系のフェライト等の種々のフェライト、パーマロイ、センダスト等、各種の磁性材料および各種の磁性材料の混合物を用いることが可能である。
【００２２】
次に、積層基板体３０について説明する。図１に示すように、積層基板体３０は、複数の積層基板３１〜３９が積層されることにより構成されている。積層基板体３０は、本実施の形態では９枚の積層基板３１〜３９によって構成されているが、積層基板体３０を構成する積層基板の枚数は９枚に限られるものではなく、２枚以上であれば何枚設けられていても良い。
【００２３】
本実施の形態では、複数の積層基板３１〜３９について、上側（Ｚ１側）から下側（Ｚ２側）に向かうにつれて、１層目の積層基板３１、２層目の積層基板３２、３層目の積層基板３３、４層目の積層基板３４、５層目の積層基板３５、６層目の積層基板３６、７層目の積層基板３７、８層目の積層基板３８、９層目の積層基板３９が順次積層されている。１層目の積層基板３１、３層目の積層基板３３、５層目の積層基板３５、７層目の積層基板３７および９層目の積層基板３９は、トランスを構成する２次側コイルに対応した積層基板である。また、２層目の積層基板３２、４層目の積層基板３４、６層目の積層基板３６および８層目の積層基板３８は、トランスを構成する１次側コイルに対応した積層基板である。
【００２４】
なお、積層基板を積層する態様は、図１のように、１次側の積層基板３２，３４，３６，３８と２次側の積層基板３１，３３，３５，３７，３９とを交互に積層するものに限られるものではなく、たとえばいずれかの部位で１次側または二次側の積層基板が隣接して積層される等、どのような積層形態であっても良い。また、１次側の積層基板を連続的に積層させた後に、２次側の積層基板を連続して積層させても良い。
【００２５】
図３は、１層目の積層基板３１（２次側）の構成を示す平面図である。なお、１層目の積層基板３１のうちスルーホールＨを除く各部については、基本的に符号「３１」と、その他の数字またはアルファベットを組み合わせたものを付して説明する。
【００２６】
図３に示すように、積層基板３１は、電気的に絶縁性であるガラスエポキシ等の樹脂や紙基材を材質とするプリント基板３１１を備えている。また、プリント基板３１１には、複数のスルーホールＨから構成されるスルーホール列３１２，３１３が設けられている。スルーホール列３１２，３１３には、１次側トランスの電気的な構成要素となる１次側スルーホール列３１２と、２次側トランスの電気的な構成要素となる２次側スルーホール列３１３とが存在している。
【００２７】
１次側スルーホール列３１２と２次側スルーホール列３１３とは、プリント基板３１１のうち、後述するパターン配線３１５を挟んで離れた部位に形成されている。本実施の形態では、１次側スルーホール列３１２は、プリント基板３１１のうちＹ２側の縁部分に近接して設けられている。また、２次側スルーホール列３１３は、プリント基板３１１のうちＹ１側の縁部分に近接して設けられている。
【００２８】
また、本実施の形態では、１次側スルーホール列３１２は、合計７個のスルーホールＨを備えている。また、２次側スルーホール列３１３は、合計６個の複数のスルーホールＨを備えている。それぞれのスルーホールＨは、プリント基板３１１を貫通するように設けられていて、プリント基板３１１の表面および裏面で開口している。また、スルーホールＨの内壁には、電気的な導電性を備えるめっきが塗布されているが、後述する金属ピンの挿入等によって電気的な導電性が確保される場合には、めっきを塗布しない構成としても良い。
【００２９】
以下の説明では、スルーホールＨは、プリント基板３１１をＺ方向に沿うように貫通しているものとし、スルーホールＨの開口を含め、そのスルーホールＨのＸＹ平面における位置は、同じ位置にあるものとする。しかしながら、スルーホールＨの開口に対して、スルーホールＨの他の部位のＸＹ平面における位置が若干ずれた構成であっても良い。
【００３０】
なお、１次側スルーホール列３１２を構成する、合計７個のスルーホールＨのうち、１次側スルーホール列３１２の両端に位置するスルーホールＨは、本実施の形態では、他の積層基板３２，３４，３６，３８との導電接続用として用いられていない。したがって、両端の合計２つのスルーホールＨは、たとえば取付固定用や位置決め用の孔部として用いることができる。しかしながら、１次側スルーホール列３１２の両端のスルーホールＨを、導電接続用として用いても良い。
【００３１】
また、以下の説明では、１次側のスルーホールＨを、スルーホールＨＦと称呼し、２次側のスルーホールＨを、スルーホールＨＳと称呼する。また、１層目に位置する積層基板３１における７個のスルーホールＨについて、両端のスルーホールＨを除いた合計５つのスルーホールＨＦをそれぞれ区別して称呼するときは、Ｘ２側からＸ１側に向かい、スルーホールＨＦ１１、スルーホールＨＦ１２、スルーホールＨＦ１３、スルーホールＨＦ１４、スルーホールＨＦ１５と称呼する。同様に、１層目に位置する積層基板３１における６個のスルーホールＨＳをそれぞれ区別して称呼するときは、Ｘ２側からＸ１側に向かい、スルーホールＨＳ１１、スルーホールＨＳ１２、スルーホールＨＳ１３、スルーホールＨＳ１４、スルーホールＨＳ１５、スルーホールＨＳ１６と称呼する。
【００３２】
プリント基板３１１の中央には、該プリント基板３１１を貫通する中心孔３１４が設けられていて、この中心孔３１４に柱脚部２３が差し込まれている。本実施の形態では、中心孔３１４は、円柱状の柱脚部２３に対応して円形状に設けられているが、中心孔３１４は、円形状以外の形状であっても良い。
【００３３】
また、プリント基板３１１の表面側（Ｚ１側の面側）には、パターン配線３１５が設けられている。パターン配線３１５は、たとえば銅のような金属薄膜をエッチング等することで形成される所定幅の配線部分であり、電気的な導電性を備える。図３に示すように、パターン配線３１５は、中心孔３１４の周囲を取り巻くようなループ状部分３１５ａを有している。ループ状部分３１５ａは、完全な円形状ではなく、円形の一部を切り欠いた形態に設けられていて、それによりループ状部分３１５ａは両端を有する構成となっている。なお、ループ状部分３１５ａは、中心孔３１４の円周方向において１周の少なくとも３／４以上設けられている。
【００３４】
また、パターン配線３１５は、ループ状部分３１５ａのそれぞれの端部から延伸する一対の端部配線部３１５ｂ１，３１５ｂ２を備えている。これらのうち、一方の端部配線部３１５ｂ１は、スルーホールＨＳ１１の開口の周囲を取り囲むように設けられている。すなわち、スルーホールＨＳ１１は、一方の端部配線部３１５ｂ１を貫通するように設けられている。同様に、他方の端部配線部３１５ｂ２は、スルーホールＨＦ１２の開口の周囲を取り囲むように設けられている。すなわち、スルーホールＨＳ１２は、他方の端部配線部３１５ｂ２を貫通するように設けられている。
【００３５】
ここで、端部配線部３１５ｂ１および端部配線部３１５ｂ２における、スルーホールＨＳ１１およびスルーホールＨＳ１２の位置を、図４に示す。図４は、一対の端部配線部３１５ｂ１，３１５ｂ２を拡大して示す部分的な平面図である。図４に示すように、端部配線部３１５ｂ１の幅方向（Ｘ方向）において、スルーホールＨＳ１１は、端部配線部３１５ｂ１の幅方向（Ｘ方向）の中央よりも、他方側（Ｘ１側）に片寄るように設けられている。また、端部配線部３１５ｂ２の幅方向（Ｘ方向）において、スルーホールＨＳ１２は、端部配線部３１５ｂ２の幅方向（Ｘ方向）の中央よりも、一方側（Ｘ２側）に片寄るように設けられている。
【００３６】
すなわち、端部配線部３１５ｂ１の幅方向（Ｘ方向）の中央と、端部配線部３１５ｂ２の幅方向（Ｘ方向）の中央の間の間隔ＬＰ１よりも、スルーホールＨＳ１１の中央とスルーホールＨＳ１２の中央の間隔ＬＣ１の方が、小さくなるように設けられている。したがって、スルーホールＨＳ１１が端部配線部３１５ｂ１の幅方向（Ｘ方向）の中央に位置し、かつスルーホールＨＳ１２が端部配線部３１５ｂ２の幅方向（Ｘ方向）の中央に位置する場合と比較して、スルーホールＨＳ１１とスルーホールＨＳ１２の間のピッチを狭くすることが可能となっている。
【００３７】
なお、積層基板３１には、位置決め凹部３１６も設けられている。位置決め凹部３１６は、矩形状のプリント基板３１１の４辺のうち、１次側スルーホール列３１２および２次側スルーホール列３１３が設けられている２辺を除いた残りの２辺を、所定だけ中心孔３１４に向けて凹ませた形態に設けられている。この位置決め凹部３１６には、上述した周壁２２が位置することで、積層基板体３０に対するコア２０の位置が規定される。
【００３８】
ここで、スルーホールＨＳ１１は、外部の導電部分に接続されるが、スルーホールＨＳ１２は、３層目の２次側の積層基板３３におけるスルーホールＨＳ３２と、金属ピン５０を介して電気的に接続されている。以下、金属ピン５０を介して１層目の積層基板３１と電気的に接続される３層目の積層基板３３について説明する。
【００３９】
図５は、３層目の積層基板３３（２次側）の構成を示す平面図である。また、図６は、一対の端部配線部３３５ｂ１，３３５ｂ２を拡大して示す部分的な平面図である。以下の説明では、３層目の積層基板３３のうち、１層目の積層基板３１と共通の構成については、その説明を省略する。また、３層目の積層基板３３のうちスルーホールＨを除く積層基板３３の各部については、基本的に１層目の符号「３１」に代えて符号「３３」を付し、その他の数字またはアルファベットを組み合わせたものをさらに付して説明する。
【００４０】
図３と図５の比較から明らかなように、スルーホールＨＳ１２とスルーホールＨＦ３２とは、Ｘ方向において同じ位置に位置するように設けられている。また、図６に示すように、端部配線部３３５ｂ１の幅方向（Ｘ方向）において、スルーホールＨＳ３２は、端部配線部３３５ｂ１の幅方向（Ｘ方向）の中央よりも、他方側（Ｘ１側）に片寄るように設けられている。また、端部配線部３１５ｂ２の幅方向（Ｘ方向）において、スルーホールＨＳ３３は、端部配線部３１５ｂ２の幅方向（Ｘ方向）の中央よりも、一方側（Ｘ２側）に片寄るように設けられている。
【００４１】
すなわち、端部配線部３３５ｂ１の幅方向（Ｘ方向）の中央と、端部配線部３３５ｂ２の幅方向（Ｘ方向）の中央の間の間隔ＬＰ３よりも、スルーホールＨＳ３２の中央とスルーホールＨＳ３３の中央の間隔ＬＣ３の方が、小さくなるように設けられている。この場合も、スルーホールＨＳ３２が端部配線部３３５ｂ１の幅方向（Ｘ方向）の中央に位置し、かつスルーホールＨＳ３３が端部配線部３３５ｂ２の幅方向（Ｘ方向）の中央に位置する場合と比較して、スルーホールＨＳ３２とスルーホールＨＳ３３の間のピッチを狭くすることが可能となっている。
【００４２】
なお、スルーホールＨＳ１２とスルーホールＨＳ３２は、ＸＹ平面において同じ位置に位置している。ここで、図４と図６の比較から明らかなように、スルーホールＨＳ１２とスルーホールＨＳ３２を基準にとると、端部配線部３１５ｂ２はスルーホールＨＳ１２に対して他方側（Ｘ１側）に片寄るように位置している。また、スルーホールＨＳ１２と同じＸＹ平面において位置しているスルーホールＨＳ３２に対して、端部配線部３３５ｂ１は一方側（Ｘ２側）に片寄るように位置している。
【００４３】
以上のように、１層目の積層基板３１においては、端部配線部３１５ｂ１と端部配線部３１５ｂ２の間の間隔ＬＰ１よりも、スルーホールＨＳ１１とスルーホールＨＳ１２の間の間隔ＬＣ１が狭く設けられている。また、３層目の積層基板３３においては、端部配線部３３５ｂ１と端部配線部３３５ｂ２の間の間隔ＬＰ３よりも、スルーホールＨＳ３２とスルーホールＨＳ３３の間の間隔ＬＣ３が狭く設けられている。
【００４４】
図７は、５層目の積層基板３５（２次側）の構成を示す平面図である。以下の説明では、５層目の積層基板３５のうち、１層目の積層基板３１と共通の構成については、その説明を省略する。同様に、図８および図９にそれぞれ示す７層目および９層目のそれぞれの積層基板３７，３９のうち、１層目の積層基板３１と共通の構成については、その説明を省略する。
【００４５】
また、５層目の積層基板３５のうちスルーホールＨを除く積層基板３５の各部については、基本的に１層目の符号「３１」に代えて符号「３３」を付し、その他の数字またはアルファベットを組み合わせたものをさらに付して説明する。同様に、図８および図９にそれぞれ示す７層目および９層目のそれぞれの積層基板３７，３９のうちスルーホールＨを除く積層基板３７，３９の各部についても、基本的に１層目の符号「３１」に代えて符号「３７」、「３９」を付し、その他の数字またはアルファベットを組み合わせたものをさらに付して説明する。
【００４６】
図７から明らかなように、上記の１層目の積層基板３１および３層目の積層基板３３と同様に、５層目の積層基板３５においても、端部配線部３５５ｂ１と端部配線部３５５ｂ２の間の間隔ＬＰ５よりも、スルーホールＨＳ５３とスルーホールＨＳ５４の間の間隔ＬＣ５が狭く設けられている。
【００４７】
図８は、７層目の積層基板３７（２次側）の構成を示す平面図である。この７層目の積層基板３７においても、端部配線部３７５ｂ１と端部配線部３７５ｂ２の間の間隔ＬＰ７よりも、スルーホールＨＳ７４とスルーホールＨＳ７５の間の間隔ＬＣ７が狭く設けられている。
【００４８】
図９は、９層目の積層基板３９（２次側）の構成を示す平面図である。９層目の積層基板３９においても、端部配線部３９５ｂ１と端部配線部３９５ｂ２の間の間隔ＬＰ９よりも、スルーホールＨＳ９５とスルーホールＨＳ９６の間の間隔ＬＣ９が狭く設けられている。
【００４９】
以上が、２次側の積層基板３１，３３，３５，３７，３９における間隔ＬＰ１，ＬＰ３，ＬＰ５，ＬＰ７，ＬＰ９と、間隔ＬＣ１，ＬＣ３，ＬＣ５，ＬＣ７，ＬＣ９の間の関係である。
【００５０】
次に、１次側の積層基板３２，３４，３６，３８の構成について、図１０から図１３に示す。なお、図１から明らかなように、１次側の積層基板３２，３４，３６，３８は合計４枚であり、合計５枚の２次側の積層基板３１，３３，３５，３７，３９よりも枚数が１枚少なくなっている。以下の説明では、図１０から図１３にそれぞれ示す２層目、４層目、６層目および８層目のそれぞれの積層基板３２，３４，３６，３８のうち、１層目の積層基板３１と共通の構成については、その説明を省略する。
【００５１】
また、２層目、４層目、６層目および８層目のそれぞれの積層基板３２，３４，３６，３８のうちスルーホールＨを除く積層基板３２，３４，３６，３８の各部については、基本的に１層目の符号「３１」に代えて符号「３２」、「３４」、「３６」、「３８」を付し、その他の数字またはアルファベットを組み合わせたものをさらに付して説明する。
【００５２】
図１０は、２層目の積層基板３２（１次側）の構成を示す平面図である。図１０に示すように、端部配線部３２５ｂ１の幅方向（Ｘ方向）において、スルーホールＨＦ２１は、端部配線部３２５ｂ１の幅方向（Ｘ方向）の中央に位置している。また、端部配線部３２５ｂ２の幅方向（Ｘ方向）において、スルーホールＨＦ２２は、端部配線部３２５ｂ２の幅方向（Ｘ方向）の中央に位置している。このため、１次側のスルーホールＨＦ２１とスルーホールＨＦ２２の間のピッチは、２次側のスルーホールＨＳ１１とスルーホールＨＳ１２の間のピッチよりも広くなっている。
【００５３】
このように、１次側のスルーホールＨＦ２１とスルーホールＨＦ２２との間の間隔を、２次側のスルーホールＨＳ１１とスルーホールＨＳ１２の間のピッチよりも広くしたのは、次の理由による。すなわち、図１に示す構成では、１次側の積層基板３２，３４，３６，３８は合計４枚であるのに対し、２次側の積層基板３１，３３，３５，３７，３９は合計５枚である。このため、それぞれの１次側の積層基板３２，３４，３６，３８におけるスルーホールＨの個数は、それぞれ５つずつである。一方、それぞれの２次側の積層基板３１，３３，３５，３７，３９におけるスルーホールＨの個数は、それぞれ６つずつである。このため、それぞれの１次側の積層基板３２，３４，３６，３８においては、それぞれの２次側の積層基板３１，３３，３５，３７，３９よりも、スルーホールＨの個数が１つ少なくなっている。
【００５４】
このため、１次側のスルーホールＨＦ２１とスルーホールＨＦ２２の間のピッチ（間隔ＬＰ２）は、２次側のスルーホールＨＳ１１とスルーホールＨＳ１２の間のピッチ（間隔ＬＣ２）よりも広くすることが可能となっている。
【００５５】
ただし、１次側のスルーホールＨＦ２１とスルーホールＨＦ２２の間のピッチは、２次側のスルーホールＨＳ１１とスルーホールＨＳ１２の間のピッチと同様の構成とすることも勿論可能である。すなわち、スルーホールＨＦ２１が端部配線部３２５ｂ１の幅方向（Ｘ方向）の中央よりも、他方側（Ｘ１側）に片寄るように設ける構成とすることができる。また、端部配線部３２５ｂ２の幅方向（Ｘ方向）において、スルーホールＨＦ２２は、端部配線部３２５ｂ２の幅方向（Ｘ方向）の中央よりも、一方側（Ｘ２側）に片寄るように設ける構成とすることができる。それにより、端部配線部３２５ｂ１の幅方向（Ｘ方向）の中央と、端部配線部３２５ｂ２の幅方向（Ｘ方向）の中央の間の間隔ＬＰ２よりも、スルーホールＨＦ２１の中央とスルーホールＨＦ２２の中央の間隔ＬＣ２の方が、小さくなるように設けることができる。
【００５６】
次に、４層目、６層目および８層目の積層基板３４，３６，３８について説明する。図１１は、４層目の積層基板３４（１次側）の構成を示す平面図である。図１２は、６層目の積層基板３６（１次側）の構成を示す平面図である。図１３は、８層目の積層基板３８（１次側）の構成を示す平面図である。
【００５７】
これら４層目、６層目および８層目の積層基板３４，３６，３８については、図１０の２層目の積層基板３２に関して説明した事項が適用可能である。したがって、その詳細についての説明は省略する。
【００５８】
以上のような構成のコイル部品１０を製作する場合、まず、積層基板３１〜３９を、位置合わせした状態で積層して積層基板体３０を形成する。その後に、それぞれのスルーホールＨに、金属ピン５０を挿入する。また、金属ピン５０の挿入に前後して、積層基板体３０に対してコア２０Ａ，２０Ｂを位置合わせした状態で取り付ける。このとき、周壁２２は、各積層基板３１〜３９に設けられている位置決め凹部３１６〜３９６に位置させると共に、柱脚部２３も各積層基板３１〜３９に設けられている中心孔３１４〜３９４に位置させる。このようにして、コイル部品１０が形成される。
【００５９】
＜効果＞
以上のような構成のコイル部品１０によると、積層基板３１〜３９には、複数のスルーホールＨが配列されていて、そのパターン配線３１５は、積層基板を貫通する中心孔の周囲を取り巻くループ状部分３１５ａ〜３９５ａと、該ループ状部分３１５ａ〜３９５ａからスルーホールＨの配列方向と交差する交差方向に延伸すると共に互いに所定の絶縁距離だけ隔てて対向する一対の端部配線部３１５ｂ１〜３９５ｂ１，３１５ｂ２〜３９５ｂ２を備えていて、複数のスルーホールＨのうち隣り合う２つのスルーホールＨは、その開口の少なくとも一部が一対の端部配線部３１５ｂ１〜３９５ｂ１，３１５ｂ２〜３９５ｂ２に差し掛かって端部配線部３１５ｂ１〜３９５ｂ１，３１５ｂ２〜３９５ｂ２と電気的に接続された状態で積層基板３１〜３９を貫通している。また、一対の端部配線部３１５ｂ１〜３９５ｂ１，３１５ｂ２〜３９５ｂ２のうち、一方の端部配線部３１５ｂ１〜３５５ｂ１における一方のスルーホールＨの開口は、一方の端部配線部３１５ｂ１〜３５５ｂ１の交差方向における中心よりも、他方の端部配線部３１５ｂ２〜３９５ｂ２に近接した位置に設けられている。
【００６０】
このような構成とすることにより、一方の端部配線部３１５ｂ１〜３５５ｂ１に位置するスルーホールＨと、と他方の端部配線部３１５ｂ２〜３９５ｂ２に位置するスルーホールＨとの間の間隔ＬＰ１〜ＬＰ５は、一方の端部配線部３１５ｂ１〜３５５ｂ１と他方の端部配線部３１５ｂ２〜３９５ｂ２の間の間隔ＬＣ１〜ＬＣ５よりも、狭くすることが可能となる。すなわち、スルーホールＨ間のピッチを、一対の端部配線部３１５ｂ１〜３５５ｂ１，３１５ｂ２〜３５５ｂ２間のピッチよりも狭くすることができる。
【００６１】
このため、スルーホールＨ間のピッチを狭くすることができる分だけ、コイル部品１０の小型化を図ることが可能となる。また、同じサイズのコイル部品１０においては、現状のものよりもスルーホールＨおよびそのスルーホールＨに差し込まれる金属ピン５０の数を多くすることができる。それにより、コイルパターンの巻数を多くすることが可能となり、コイル部品１０の特性を向上させることが可能となる。
【００６２】
また、本実施の形態では、一対の端部配線部３１５ｂ１〜３５５ｂ１，３１５ｂ２〜３５５ｂ２のうち、他方の端部配線部３１５ｂ２〜３５５ｂ２における他方のスルーホールＨの開口は、他方の端部配線部３１５ｂ２〜３５５ｂ２の交差方向（たとえばＸ方向）における中心よりも、一方の端部配線部３１５ｂ１〜３５５ｂ１に近接した位置に設けられている。
【００６３】
このため、スルーホールＨ間のピッチを、一対の端部配線部３１５ｂ１〜３５５ｂ１，３１５ｂ２〜３５５ｂ２間のピッチよりも一層狭くすることができる。したがって、スルーホールＨ間のピッチを狭くすることができる分だけ、コイル部品１０の小型化を一層図ることが可能となる。また、同じサイズのコイル部品１０においては、現状のものよりもスルーホールＨおよびそのスルーホールＨに差し込まれる金属ピン５０の数を多くすることができる。
【００６４】
また、本実施の形態では、スルーホールＨは、その開口の全体が端部配線部３１５ｂ１〜３５５ｂ１，３１５ｂ２〜３５５ｂ２に差し掛かっていて、該開口の周囲が端部配線部３１５ｂ１〜３５５ｂ１，３１５ｂ２〜３５５ｂ２で囲まれている。
【００６５】
このため、層の異なるパターン配線３１５間での電気的な接続の確実性を向上させることが可能となる。
【００６６】
また、本実施の形態では、パターン配線３１５〜３９５は、中心孔３１４〜３９４の円周方向において１周の少なくとも３／４以上設けられていることが好ましい。このように構成する場合には、パターン配線３１５〜３９５は中心孔３１４〜３９４の大部分を周状に囲む状態となる。それにより、各層のパターン配線３１５〜３９５を金属ピン５０を介して電気的に接続することで、コイルとして良好に機能させることができる。
【００６７】
また、本実施の形態では、積層基板３１〜３９には、パターン配線３６５〜３９５がトランスの１次側コイルを構成する１次側の積層基板３６〜３９と、パターン配線３１５〜３５５がトランスの２次側コイルを構成する２次側の積層基板３１〜３５とが設けられていて、１次側の積層基板３６〜３９と２次側の積層基板３１〜３５とが交互に積層されている。
【００６８】
このため、少なくとも２次側の積層基板３１〜３５において、スルーホールＨ間の間隔を狭くした狭ピッチ化を図ることにより、同じサイズのコイル部品１０であれば、現状のコイル部品と比較して２次側の積層基板３１〜３５の積層可能な枚数を増やすことができる。それにより、２次側コイルの巻数を増やすことが可能となる。また、２次側の積層基板３１〜３５の積層枚数が、現状のコイル部品と比較して増加しないものとする場合には、コイル部品の小型化を図ることが可能となる。
【００６９】
＜変形例＞
上述の実施の形態では、スルーホールＨは、その開口の全体が端部配線部３１５ｂ１〜３５５ｂ１，３１５ｂ２〜３５５ｂ２に差し掛かっていて、該開口の周囲が端部配線部３１５ｂ１〜３５５ｂ１，３１５ｂ２〜３５５ｂ２で囲まれる構成としている。しかしながら、このような構成に代えて、図１３に示すような構成としても良い。図１４は、本発明の変形例に係るコイル部品の一対の端部配線部３１５ｂ３，３１５ｂ４を拡大して示す部分的な平面図である。
【００７０】
図１４に示す構成では、スルーホールＨは、その開口の一部が端部配線部３１５ｂ３，３１５ｂ４に差し掛かり、該開口の周囲の一部が端部配線部３１５ｂ３，３１５ｂ４で囲まれている。また、スルーホールＨの開口の残りの部分が端部配線部３１５ｂ３，３１５ｂ４から外れる構成となっている。
【００７１】
この構成を採用する場合、スルーホールＨ間のピッチを、一対の端部配線部３１５ｂ３，３１５ｂ４間のピッチよりも一層狭くすることができる。したがって、スルーホールＨ間のピッチを狭くすることができる分だけ、コイル部品１０の小型化を一層図ることが可能となる。また、同じサイズのコイル部品１０においては、現状のものよりもスルーホールＨおよびそのスルーホールＨに差し込まれる金属ピン５０の数を多くすることができる。
【００７２】
また、上述の各実施の形態では、積層基板３１〜３９は、リジットのプリント基板３１１〜３９１を用いたものとしている。しかしながら、プリント基板は、リジットに限られるものではなく、フレキシブルプリント基板であっても良い。
【００７３】
また、上述の各実施の形態では、コア２０は、ＥＲコアとしている。しかしながら、コアは、Ｅ型コアを２つ用いたものや、Ｅ型コアとＩ型コアを用いたものや、その他のもの等、種々変更可能である。
【００７４】
また、上述の実施の形態では、一方の端部配線部３１５ｂ１〜３５５ｂ１においては、スルーホールＨは、端部配線部３１５ｂ１〜３５５ｂ１の幅方向（Ｘ方向）の中央よりも、他方側（Ｘ１側）に片寄るように設けられている。また、端部配線部３１５ｂ２の幅方向（Ｘ方向）において、スルーホールＨは、端部配線部３１５ｂ２〜３１５ｂ２の幅方向（Ｘ方向）の中央よりも、一方側（Ｘ２側）に片寄るように設けられている。
【００７５】
しかしながら、このような構成を採用せずに、一対の端部配線部３１５ｂ１〜３５５ｂ１，３１５ｂ２〜３５５ｂ２のうち、一方の端部配線部３１５ｂ１〜３５５ｂ１に位置するスルーホールＨのみを、他方側（Ｘ１側）に片寄るようにすると共に、他方の端部配線部３１５ｂ２〜３５５ｂ２に位置するスルーホールＨは、その端部配線部３１５ｂ２〜３５５ｂ２の幅方向の中央に位置する構成としても良い。また、一対の端部配線部３１５ｂ１〜３５５ｂ１，３１５ｂ２〜３５５ｂ２のうち、他方の端部配線部３１５ｂ２〜３５５ｂ２に位置するスルーホールＨのみを、他方側（Ｘ１側）に片寄るようにすると共に、一方の端部配線部３１５ｂ１〜３５５ｂ１に位置するスルーホールＨは、その端部配線部３１５ｂ１〜３５５ｂ１の幅方向の中央に位置する構成としても良い。また、１次側スルーホール列３１２の各スルーホールＨについても、同様の構成を採用しても良い。
【００７６】
また、上述の実施の形態では、２次側の積層基板３１〜３５の枚数が、１次側の積層基板３６〜３９の枚数よりも多くなっている。しかしながら、１次側の積層基板の枚数を２次側の積層基板の枚数よりも多くすることも可能であり、また１次側の積層基板の枚数と２次側の積層基板の枚数を同じ枚数とすることも可能である。これらの場合にも、１次側の積層基板および２次側の積層基板の内の少なくとも一方に対して、上述したようなスルーホールＨの狭ピッチ化を図る構成とすることは勿論可能である。
【００７７】
また、上述の実施の形態におけるコイル部品は、トランスに限られるものではなく、インダクタやチョークコイル等、その他のコイル部品に本発明を適用することが可能である。
【符号の説明】
【００７８】
１０…コイル部品
２０，２０Ａ，２０Ｂ…コア、
２１…底部
２２…周壁
２３…柱脚部
３０…積層基板体
３１〜３９…積層基板
５０…金属ピン
３１１，３２１，３３１，３４１，３５１，３６１，３７１，３８１，３９１…プリント基板
３１２，３２２，３３２，３４２，３５２，３６２，３７２，３８２，３９２…１次側スルーホール列
３１３，３２３，３３３，３４３，３５３，３６３，３７３，３８３，３９３…２次側スルーホール列
３１４，３２４，３３４，３４４，３５４，３６４，３７４，３８４，３９４…中心孔
３１５，３２５，３３５，３４５，３５５，３６５，３７５，３８５，３９５…パターン配線
３１５ａ，３２５ａ，３３５ａ，３４５ａ，３５５ａ，３６５ａ，３７５ａ，３８５ａ，３９５ａ…ループ状部分
３１５ｂ１，３１５ｂ２，３２５ｂ１，３２５ｂ２，３３５ｂ１，３３５ｂ２，３４５ｂ１，３４５ｂ２，３５５ｂ１，３５５ｂ２，３６５ｂ１，３６５ｂ２，３７５ｂ１，３７５ｂ２，３８５ｂ１，３８５ｂ２，３９５ｂ１，３９５ｂ２…端部配線部
３１６，３２６，３３６，３４６，３５６，３６６，３７６，３８６，３９６…位置決め凹部
【図１】
2019040938.tif 000003
【図２】
2019040938.tif 000004
【図３】
2019040938.tif 000005
【図４】
2019040938.tif 000006
【図５】
2019040938.tif 000007
【図６】
2019040938.tif 000008
【図７】
2019040938.tif 000009
【図８】
2019040938.tif 000010
【図９】
2019040938.tif 000011
【図１０】
2019040938.tif 000012
【図１１】
2019040938.tif 000013
【図１２】
2019040938.tif 000014
【図１３】
2019040938.tif 000015
【図１４】
2019040938.tif 000016